(57)【要約】      （修正有）【課題】磁石の吸着力を利用した表示スタンドを提供する。【解決手段】表示スタンドＰは、略円弧面状の第１の内径側の曲面部１１と、この第１の内径側の曲面部１１と略平行に形成されると共に、略円弧面状の第１の外径側の曲面部１２とを有する第１の円弧状部材１と、この第１の円弧状部材１の一方の端部１ａの近傍に内在された第１の磁石３と、第１の円弧状部材１の他方の端部１ｂの近傍に内在された第２の磁石４と、略円弧面状の第２の内径側の曲面部２１と、この第２の内径側の曲面部２１と略平行に形成されると共に、略円弧面状の第２の外径側の曲面部２２とを有する第２の円弧状部材２と、この第２の円弧状部材２の一方の端部２ａの近傍に内在された第３の磁石５と、第２の円弧状部材２の他方の端部２ｂの近傍に内在された第４の磁石６とを備えているものである。【選択図】図１
2010211101.tif 000002
【特許請求の範囲】
【請求項１】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部の近傍に内在された第３の磁石と、
前記第２の円弧状部材の他方の端部の近傍に内在された第４の磁石と、
を備えていることを特徴とする表示スタンド。
【請求項２】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部の近傍に内在された第３の磁石と、
前記第２の円弧状部材の他方の端部の近傍に内在された第４の磁石とを備え、
前記第１の円弧状部材の第１の外径側の曲面部と前記第２の円弧状部材の第２の内径側の曲面部との間に表示体を介して、前記第１の磁石と前記第３の磁石及び前記第２の磁石と前記第４の磁石をそれぞれ吸着させて前記表示体を立設保持する
ことを特徴とする表示スタンド。
【請求項３】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
前記第１の内径側の曲面部は、前記第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、
前記第１の外径側の曲面部は、前記第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、
前記一方側第１の外縁部と前記一方側第１の内縁部とを接続すると共に、平坦な面である一方側第１の平坦面と、
前記他方側第１の外縁部と前記他方側第１の内縁部とを接続すると共に、平坦な面である他方側第１の平坦面と、
前記一方側第１の平坦面と前記他方側第１の平坦面は、略平行であり、
略円弧面状の第２の内径側の曲面部と、この第２の内径側の曲面部と略平行に形成されると共に、円弧状の第２の外径側の曲面部とを有する第２の円弧状部材と、
この第２の円弧状部材の一方の端部の近傍に内在された第３の磁石と、
前記第２の円弧状部材の他方の端部の近傍に内在された第４の磁石と、
前記第２の内径側の曲面部は、前記第２の内径側の曲面部の一方側の円弧状の縁部である一方側第２の内縁部と、前記第２の内径側の曲面部の他方側の円弧状の縁部である他方側第２の内縁部とを有し、前記一方側第２の内縁部と前記他方側第２の内縁部は、略平行であり、
前記第２の外径側の曲面部は、前記第２の外径側の曲面部の一方側の円弧状の縁部である一方側第２の外縁部と、前記第２の外径側の曲面部の他方側の円弧状の縁部である他方側第２の外縁部とを有し、前記一方側第２の外縁部と前記他方側第２の外縁部は、略平行であり、
前記一方側第２の外縁部と前記一方側第２の内縁部とを接続すると共に、平坦な面である一方側第２の平坦面と、
前記他方側第２の外縁部と前記他方側第２の内縁部とを接続すると共に、平坦な面である他方側第２の平坦面と、
前記一方側第２の平坦面と前記他方側第２の平坦面は、略平行である
ことを特徴とする表示スタンド。
【請求項４】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部と前記第１の円弧状部材の他方の端部との略中央の位置にあって、前記第１の円弧状部材に内在された第１の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部と前記第２の円弧状部材の他方の端部との略中央の位置にあって、前記第２の円弧状部材に内在された第２の磁石とを備えている
ことを特徴とする表示スタンド。
【請求項５】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部と前記第１の円弧状部材の他方の端部との略中央の位置にあって、前記第１の円弧状部材に内在された第１の磁石と、
前記第１の内径側の曲面部は、前記第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、
前記第１の外径側の曲面部は、前記第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、
前記一方側第１の外縁部と前記一方側第１の内縁部とを接続すると共に、平坦な面である一方側第１の平坦面と、
前記他方側第１の外縁部と前記他方側第１の内縁部とを接続すると共に、平坦な面である他方側第１の平坦面と、
前記一方側第１の平坦面と前記他方側第１の平坦面は、略平行であり、
略円弧面状の第２の内径側の曲面部と、この第２の内径側の曲面部と略平行に形成されると共に、円弧状の第２の外径側の曲面部とを有する第２の円弧状部材と、
この第２の円弧状部材の一方の端部と前記第２の円弧状部材の他方の端部との略中央の位置にあって、前記第２の円弧状部材に内在された第２の磁石と、
前記第２の内径側の曲面部は、前記第２の内径側の曲面部の一方側の円弧状の縁部である一方側第２の内縁部と、前記第２の内径側の曲面部の他方側の円弧状の縁部である他方側第２の内縁部とを有し、前記一方側第２の内縁部と前記他方側第２の内縁部は、略平行であり、
前記第２の外径側の曲面部は、前記第２の外径側の曲面部の一方側の円弧状の縁部である一方側第２の外縁部と、前記第２の外径側の曲面部の他方側の円弧状の縁部である他方側第２の外縁部とを有し、前記一方側第２の外縁部と前記他方側第２の外縁部は、略平行であり、
前記一方側第２の外縁部と前記一方側第２の内縁部とを接続すると共に、平坦な面である一方側第２の平坦面と、
前記他方側第２の外縁部と前記他方側第２の内縁部とを接続すると共に、平坦な面である他方側第２の平坦面と、
前記一方側第２の平坦面と前記他方側第２の平坦面は、略平行である
ことを特徴とする表示スタンド。
【請求項６】
第１の内径側の曲面部の曲率半径、第１の外径側の曲面部の曲率半径、第２の内径側の曲面部の曲率半径、第２の外径側の曲面部の曲率半径が共に略同じである
ことを特徴とする請求項１〜５のいずれかの表示スタンド。
【請求項７】
第１の円弧状部材内に設けられた第１のシート状の表示体と、
前記第１の円弧状部材は、透光性を有する部材で形成され、
前記第１の円弧状部材内の前記第１のシート状の表示体と一方側第１の平坦面とのなす角度が、約４５°の位置関係にあって、
前記第１のシート状の表示体の表裏に文字、図形、記号、符号等が表示され、
第２の円弧状部材内に設けられた第２のシート状の表示体と、
前記第２の円弧状部材は、透光性を有する部材で形成され、
前記第２の円弧状部材内の前記第２のシート状の表示体と一方側第２の平坦面とのなす角度が、約４５°の位置関係にあって、
前記第２のシート状の表示体の表裏に文字、図形、記号、符号等が表示されている
ことを特徴とする請求項１〜６のいずれかの表示スタンド。
【請求項８】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
を備えていることを特徴とする表示ホルダー。
【請求項９】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
前記第１の内径側の曲面部は、前記第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、
前記第１の外径側の曲面部は、前記第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、
前記一方側第１の外縁部と前記一方側第１の内縁部とを接続すると共に、平坦な面である一方側第１の平坦面と、
前記他方側第１の外縁部と前記他方側第１の内縁部とを接続すると共に、平坦な面である他方側第１の平坦面と、
前記一方側第１の平坦面と前記他方側第１の平坦面は、略平行である
ことを特徴とする表示ホルダー。
【請求項１０】
細長い第１の棒状部材と、
この細長い第１の棒状部材の一方の端部の近傍に内在された第１の磁石と、
前記細長い第１の棒状部材の他方の端部の近傍に内在された第２の磁石と、
細長い第２の棒状部材と、
この細長い第２の棒状部材の一方の端部の近傍に内在された第３の磁石と、
前記細長い第２の棒状部材の他方の端部の近傍に内在された第４の磁石と、
前記細長い第１の棒状部材と前記細長い第２の棒状部材との間に表示体を介して、前記第１の磁石と前記第３の磁石及び前記第２の磁石と前記第４の磁石をそれぞれ吸着させて前記表示体を立設保持する
ことを特徴とする表示スタンド。
【請求項１１】
細長い第１の棒状部材と、
この細長い第１の棒状部材の一方の端部と前記細長い第１の棒状部材の他方の端部との略中央の位置にあって、前記細長い第１の棒状部材に内在された第１の磁石と、
細長い第２の棒状部材と、
この細長い第２の棒状部材の一方の端部と前記細長い第２の棒状部材の他方の端部との略中央の位置にあって、前記細長い第２の棒状部材に内在された第２の磁石とを備え、
前記細長い第１の棒状部材と前記細長い第２の棒状部材との間に表示体を介して、前記第１の磁石と前記第２の磁石とを吸着させ前記表示体を立設保持する
ことを特徴とする表示スタンド。
【請求項１２】
内在された第１の磁石は、内在された収納部内に回転自在に収納され、
内在された第２の磁石は、内在された収納部内に回転自在に収納され、
内在された第３の磁石は、内在された収納部内に回転自在に収納され、
内在された第４の磁石は、内在された収納部内に回転自在に収納され、
前記第１の磁石、前記第２の磁石、前記第３の磁石及び前記第４の磁石は、共に、球形状である
ことを特徴とする請求項１又は請求項２又は請求項３又は請求項１０に記載の表示スタンド。
【発明の詳細な説明】
【技術分野】
【０００１】
本発明は、表示スタンド及び表示ホルダーに係り、特に、磁石の吸着力を利用した表示スタンド及び表示ホルダーに関する。
【背景技術】
【０００２】
ポストカード、写真等のカードを差し込んで立設して保持する表示スタンドがある（例えば、特許文献１参照）。
この表示スタンドは、ブロック状部材の頂部から下方に向かって差し込み部が形成され、該差し込み部の一壁面をカード支持面としたスタンド本体と、前記カード支持面と対向する壁面に固定された弾性を有する押圧部材とを有し、差し込み部に差し込まれたカードを弾性を有する押圧部材によりカード支持面に押し当てて、カードを立設保持するようにしている。このペーパースタンドにあっては、腰があるカードであれば、支障を生じない。
【先行技術文献】
【特許文献】
【０００３】
【特許文献１】実用新案登録第３０７９５９３号公報  図１参照
【発明の概要】
【発明が解決しようとする課題】
【０００４】
しかしながら、腰が弱い薄紙の場合、立設保持状態が不安定で、しかも、見映えの点からも、好ましくないという問題点があった。
【０００５】
本発明は、上記の問題点を除去するようにした表示スタンド及び表示ホルダーを提供することを目的とする。
【課題を解決するための手段】
【０００６】
請求項１記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部の近傍に内在された第１の磁石と、前記第１の円弧状部材の他方の端部の近傍に内在された第２の磁石と、略円弧面状の第２の内径側の曲面部と、この第２の内径側の曲面部と略平行に形成されると共に、略円弧面状の第２の外径側の曲面部とを有する第２の円弧状部材と、この第２の円弧状部材の一方の端部の近傍に内在された第３の磁石と、前記第２の円弧状部材の他方の端部の近傍に内在された第４の磁石とを備えているものである。
【０００７】
また、請求項２記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部の近傍に内在された第１の磁石と、前記第１の円弧状部材の他方の端部の近傍に内在された第２の磁石と、略円弧面状の第２の内径側の曲面部と、この第２の内径側の曲面部と略平行に形成されると共に、略円弧面状の第２の外径側の曲面部とを有する第２の円弧状部材と、この第２の円弧状部材の一方の端部の近傍に内在された第３の磁石と、前記第２の円弧状部材の他方の端部の近傍に内在された第４の磁石とを備え、前記第１の円弧状部材の第１の外径側の曲面部と前記第２の円弧状部材の第２の内径側の曲面部との間に表示体を介して、前記第１の磁石と前記第３の磁石及び前記第２の磁石と前記第４の磁石をそれぞれ吸着させて前記表示体を立設保持するものである。
【０００８】
また、請求項３記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部の近傍に内在された第１の磁石と、前記第１の円弧状部材の他方の端部の近傍に内在された第２の磁石と、前記第１の内径側の曲面部は、前記第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、前記第１の外径側の曲面部は、前記第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、前記一方側第１の外縁部と前記一方側第１の内縁部とを接続すると共に、平坦な面である一方側第１の平坦面と、前記他方側第１の外縁部と前記他方側第１の内縁部とを接続すると共に、平坦な面である他方側第１の平坦面と、前記一方側第１の平坦面と前記他方側第１の平坦面は、略平行であり、略円弧面状の第２の内径側の曲面部と、この第２の内径側の曲面部と略平行に形成されると共に、円弧状の第２の外径側の曲面部とを有する第２の円弧状部材と、この第２の円弧状部材の一方の端部の近傍に内在された第３の磁石と、前記第２の円弧状部材の他方の端部の近傍に内在された第４の磁石と、前記第２の内径側の曲面部は、前記第２の内径側の曲面部の一方側の円弧状の縁部である一方側第２の内縁部と、前記第２の内径側の曲面部の他方側の円弧状の縁部である他方側第２の内縁部とを有し、前記一方側第２の内縁部と前記他方側第２の内縁部は、略平行であり、前記第２の外径側の曲面部は、前記第２の外径側の曲面部の一方側の円弧状の縁部である一方側第２の外縁部と、前記第２の外径側の曲面部の他方側の円弧状の縁部である他方側第２の外縁部とを有し、前記一方側第２の外縁部と前記他方側第２の外縁部は、略平行であり、前記一方側第２の外縁部と前記一方側第２の内縁部とを接続すると共に、平坦な面である一方側第２の平坦面と、前記他方側第２の外縁部と前記他方側第２の内縁部とを接続すると共に、平坦な面である他方側第２の平坦面と、前記一方側第２の平坦面と前記他方側第２の平坦面は、略平行である。
【０００９】
また、請求項４記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部と前記第１の円弧状部材の他方の端部との略中央の位置にあって、前記第１の円弧状部材に内在された第１の磁石と、略円弧面状の第２の内径側の曲面部と、この第２の内径側の曲面部と略平行に形成されると共に、略円弧面状の第２の外径側の曲面部とを有する第２の円弧状部材と、この第２の円弧状部材の一方の端部と前記第２の円弧状部材の他方の端部との略中央の位置にあって、前記第２の円弧状部材に内在された第２の磁石とを備えているものである。
【００１０】
また、請求項５記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部と前記第１の円弧状部材の他方の端部との略中央の位置にあって、前記第１の円弧状部材に内在された第１の磁石と、前記第１の内径側の曲面部は、前記第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、前記第１の外径側の曲面部は、前記第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、前記一方側第１の外縁部と前記一方側第１の内縁部とを接続すると共に、平坦な面である一方側第１の平坦面と、前記他方側第１の外縁部と前記他方側第１の内縁部とを接続すると共に、平坦な面である他方側第１の平坦面と、前記一方側第１の平坦面と前記他方側第１の平坦面は、略平行であり、略円弧面状の第２の内径側の曲面部と、この第２の内径側の曲面部と略平行に形成されると共に、円弧状の第２の外径側の曲面部とを有する第２の円弧状部材と、この第２の円弧状部材の一方の端部と前記第２の円弧状部材の他方の端部との略中央の位置にあって、前記第２の円弧状部材に内在された第２の磁石と、前記第２の内径側の曲面部は、前記第２の内径側の曲面部の一方側の円弧状の縁部である一方側第２の内縁部と、前記第２の内径側の曲面部の他方側の円弧状の縁部である他方側第２の内縁部とを有し、前記一方側第２の内縁部と前記他方側第２の内縁部は、略平行であり、前記第２の外径側の曲面部は、前記第２の外径側の曲面部の一方側の円弧状の縁部である一方側第２の外縁部と、前記第２の外径側の曲面部の他方側の円弧状の縁部である他方側第２の外縁部とを有し、前記一方側第２の外縁部と前記他方側第２の外縁部は、略平行であり、前記一方側第２の外縁部と前記一方側第２の内縁部とを接続すると共に、平坦な面である一方側第２の平坦面と、前記他方側第２の外縁部と前記他方側第２の内縁部とを接続すると共に、平坦な面である他方側第２の平坦面と、前記一方側第２の平坦面と前記他方側第２の平坦面は、略平行である。
【００１１】
また、請求項６記載の表示スタンドは、請求項１〜５のいずれかの表示スタンドにおいて、第１の内径側の曲面部の曲率半径、第１の外径側の曲面部の曲率半径、第２の内径側の曲面部の曲率半径、第２の外径側の曲面部の曲率半径が共に略同じである。
【００１２】
また、請求項７記載の表示スタンドは、請求項１〜６のいずれかの表示スタンドにおいて、第１の円弧状部材内に設けられた第１のシート状の表示体と、前記第１の円弧状部材は、透光性を有する部材で形成され、前記第１の円弧状部材内の前記第１のシート状の表示体と一方側第１の平坦面とのなす角度が、約４５°の位置関係にあって、前記第１のシート状の表示体の表裏に文字、図形、記号、符号等が表示され、第２の円弧状部材内に設けられた第２のシート状の表示体と、前記第２の円弧状部材は、透光性を有する部材で形成され、前記第２の円弧状部材内の前記第２のシート状の表示体と一方側第２の平坦面とのなす角度が、約４５°の位置関係にあって、前記第２のシート状の表示体の表裏に文字、図形、記号、符号等が表示されているものである。
【００１３】
また、請求項８記載の表示ホルダーは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部の近傍に内在された第１の磁石と、前記第１の円弧状部材の他方の端部の近傍に内在された第２の磁石とを備えているものである。
【００１４】
また、請求項９記載の表示ホルダーは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部の近傍に内在された第１の磁石と、前記第１の円弧状部材の他方の端部の近傍に内在された第２の磁石と、前記第１の内径側の曲面部は、前記第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、前記第１の外径側の曲面部は、前記第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、前記一方側第１の外縁部と前記一方側第１の内縁部とを接続すると共に、平坦な面である一方側第１の平坦面と、前記他方側第１の外縁部と前記他方側第１の内縁部とを接続すると共に、平坦な面である他方側第１の平坦面と、前記一方側第１の平坦面と前記他方側第１の平坦面は、略平行である。
【００１５】
また、請求項１０記載の表示スタンドは、細長い第１の棒状部材と、この細長い第１の棒状部材の一方の端部の近傍に内在された第１の磁石と、前記細長い第１の棒状部材の他方の端部の近傍に内在された第２の磁石と、細長い第２の棒状部材と、この細長い第２の棒状部材の一方の端部の近傍に内在された第３の磁石と、前記細長い第２の棒状部材の他方の端部の近傍に内在された第４の磁石と、前記細長い第１の棒状部材と前記細長い第２の棒状部材との間に表示体を介して、前記第１の磁石と前記第３の磁石及び前記第２の磁石と前記第４の磁石をそれぞれ吸着させて前記表示体を立設保持するものである。
【００１６】
また、請求項１１記載の表示スタンドは、細長い第１の棒状部材と、この細長い第１の棒状部材の一方の端部と前記細長い第１の棒状部材の他方の端部との略中央の位置にあって、前記細長い第１の棒状部材に内在された第１の磁石と、細長い第２の棒状部材と、この細長い第２の棒状部材の一方の端部と前記細長い第２の棒状部材の他方の端部との略中央の位置にあって、前記細長い第２の棒状部材に内在された第２の磁石とを備え、前記細長い第１の棒状部材と前記細長い第２の棒状部材との間に表示体を介して、前記第１の磁石と前記第２の磁石とを吸着させ前記表示体を立設保持するものである。
【００１７】
また、請求項１２記載の表示スタンドは、請求項１又は請求項２又は請求項３又は請求項１０に記載の表示スタンドにおいて、内在された第１の磁石は、内在された収納部内に回転自在に収納され、内在された第２の磁石は、内在された収納部内に回転自在に収納され、内在された第３の磁石は、内在された収納部内に回転自在に収納され、内在された第４の磁石は、内在された収納部内に回転自在に収納され、前記第１の磁石、前記第２の磁石、前記第３の磁石及び前記第４の磁石は、共に、球形状である。
【発明の効果】
【００１８】
請求項１記載の表示スタンドによれば、第１の円弧状部材と第２の円弧状部材との間に表示体を位置させて、該表示体を介して、前記第１の円弧状部材と前記第２の円弧状部材とが、第１の磁石と第３の磁石及び第２の磁石と第４の磁石により吸着して表示体を立設保持することができる。
【００１９】
また、請求項２記載の表示スタンドによれば、第１の円弧状部材の第１の外径側の曲面部と第２の円弧状部材の第２の内径側の曲面部との間に表示体を介して、前記第１の円弧状部材と前記第２の円弧状部材とが、第１の磁石と第３の磁石及び第２の磁石と第４の磁石により吸着して表示体を立設保持することができ、しかも、立設保持される表示体は第１の円弧状部材の第１の外径側の曲面部と第２の円弧状部材の第２の内径側の曲面部とに沿うように形成されるため、腰の弱い表示体（例えば、腰の弱いペーパー）をも立設保持することができる。
【００２０】
また、請求項３記載の表示スタンドによれば、第１の円弧状部材と第２の円弧状部材との間に表示体を位置させて、該表示体を介して、前記第１の円弧状部材と前記第２の円弧状部材とが、第１の磁石と第３の磁石及び第２の磁石と第４の磁石により吸着して表示体を立設保持することができ、
また、表示体の挟持面は、第１の外径側の曲面部と第２の内径側の曲面部との挟持面に加え、一方側第１の平坦面と一方側第２の平坦面とでも挟持することができ（第１の円弧状部材の一方側第１の平坦面と第２の円弧状部材の一方側第２の平坦面との間に表示体を介して、前記一方側第１の平坦面と前記一方側第２の平坦面とが、第１の磁石と第３の磁石及び第２の磁石と第４の磁石により吸着して表示体を立設保持することができる。）、
更に、第１の円弧状部材と第２の円弧状部材との端部の近傍同士の間でも表示体を挟持することができ（第１の円弧状部材の一方の端部の近傍と第２の円弧状部材の一方の端部の近傍との間及び第１の円弧状部材の他方の端部の近傍と第２の円弧状部材の他方の端部の近傍との間に表示体を介して、第１の磁石と第３の磁石及び第２の磁石と第４の磁石により吸着して表示体を立設保持することができる。）、
挟持面の多様化に伴い、表示スタンドの意匠的効果を増長させることができる。
【００２１】
また、請求項４記載の表示スタンドによれば、第１の円弧状部材と第２の円弧状部材との間に表示体を位置させて、該表示体を介して、前記第１の円弧状部材と前記第２の円弧状部材とが、第１の磁石と第２の磁石により吸着して表示体を立設保持することができる。
【００２２】
また、請求項５記載の表示スタンドによれば、第１の円弧状部材と第２の円弧状部材との間に表示体を位置させて、該表示体を介して、前記第１の円弧状部材と前記第２の円弧状部材とが、第１の磁石と第２の磁石により吸着して表示体を立設保持することができ、
また、表示体の挟持面は、第１の外径側の曲面部と第２の内径側の曲面部との挟持面に加え、一方側第１の平坦面と一方側第２の平坦面とでも挟持することができ（第１の円弧状部材の一方側第１の平坦面と第２の円弧状部材の一方側第２の平坦面との間に表示体を介して、前記一方側第１の平坦面と前記一方側第２の平坦面とが、第１の磁石と第２の磁石により吸着して表示体を立設保持することができる。）、
挟持面の多様化に伴い、表示スタンドの意匠的効果を増長させることができる。
【００２３】
また、請求項６記載の表示スタンドによれば、上述した請求項１〜５記載の発明の効果に加え、第１の内径側の曲面部の曲率半径、第１の外径側の曲面部の曲率半径、第２の内径側の曲面部の曲率半径、第２の外径側の曲面部の曲率半径が共に略同じであるため、第１の円弧状部材の第１の外径側の曲面部と第２の円弧状部材の第２の内径側の曲面部との間に表示体を介在させる際の隙間をより少なくして、表示体をより安定させて立設保持することができる。
【００２４】
また、請求項７記載の表示スタンドによれば、上述した請求項１〜６記載の発明の効果に加え、表示スタンドを載置面に置いて、上から表示スタンドを見た場合、一方側第１の平坦面を介して第１のシート状の表示体の表示を、又は、一方側第２の平坦面を介して第２のシート状の表示体の表示を、見ることができ、
表示スタンドを載置面に置いて、正面から表示スタンドを見た場合、第１の内径側の曲面部を介して第１のシート状の表示体の表示を、又は、第１の外径側の曲面部を介して第１のシート状の表示体の表示を、見ることができ、
表示スタンドを載置面に置いて、背面から表示スタンドを見た場合、第２の内径側の曲面部を介して第２のシート状の表示体の表示を、又は、第２の外径側の曲面部を介して第２のシート状の表示体の表示を、見ることができる。
【００２５】
また、請求項８記載の表示ホルダーによれば、磁石が吸着する載置面に表示ホルダーーの第１の磁石及び第２の磁石により表示体を介して表示ホルダーを吸着させることができる。その際、載置面と表示ホルダーの間に表示体が位置すれば、載置面に表示体を取り付けることができ、特に、本発明の表示ホルダーにあっては、第１の磁石と第２の磁石を介在させた２点で支持することができるため、載置面が平坦でない曲面にも容易に取り付けることができる。
【００２６】
また、請求項９記載の表示ホルダーによれば、磁石が吸着する載置面に表示ホルダーの第１の磁石及び第２の磁石により表示体を介して表示ホルダーを吸着させることができる。その際、載置面と表示ホルダーの間に表示体が位置すれば、載置面に表示体を取り付けることができ、特に、本発明の表示ホルダーにあっては、第１の磁石と第２の磁石を介在させた２点で支持することができるため、載置面が平坦でない曲面にも容易に取り付けることができ、また、前述の２点支持の他に、一方側第１の平坦面又は他方側第１の平坦面を載置面に表示体を介して第１の磁石と第２の磁石の磁力を利用して取り付けることができ、表示ホルダーの取り付け位置の自由度を増すことができる。
【００２７】
また、請求項１０記載の表示スタンドによれば、細長い第１の棒状部材と細長い第２の棒状部材との間に表示体を介して、第１の磁石と第３の磁石及び第２の磁石と第４の磁石をそれぞれ吸着させて前記表示体を立設保持することができる。
【００２８】
また、請求項１１記載の表示スタンドによれば、細長い第１の棒状部材と細長い第２の棒状部材との間に表示体を介して第１の磁石と第２の磁石との吸着により表示体を立設保持することができる。
【００２９】
また、請求項１２記載の表示スタンドによれば、上述した請求項１又は請求項２又は請求項３又は請求項１０記載の発明の効果に加え、内在された第１の磁石は、内在された収納部内に回転自在に収納され、内在された第２の磁石は、内在された収納部内に回転自在に収納され、内在された第３の磁石は、内在された収納部内に回転自在に収納され、内在された第４の磁石は、内在された収納部内に回転自在に収納され、前記第１の磁石、前記第２の磁石、前記第３の磁石及び前記第４の磁石は、共に、球形状であるため、対向する第１の磁石と第３の磁石、又は、第２の磁石と第４の磁石の極性が同じでも反発して第１の磁石、第３の磁石、第２の磁石、第４の磁石が吸着するように回転して、表示体を介して吸着することができる。
【図面の簡単な説明】
【００３０】
【図１】図１は、本発明の一実施例の表示スタンドで表示体を挟む前の状態を示す概略的斜視図である。
【図２】図２は、図１の表示スタンドで表示体を挟んだ状態を示す概略的斜視図である。
【図３】図３は、図１の表示スタンドを構成する第１の円弧状部材（又は第２の円弧状部材）の概略的斜視図である。
【図４】図４は、図３の第１の円弧状部材（又は第２の円弧状部材）を分解して示す概略的分解斜視図である。
【図５】図５は、図１の第１の円弧状部材（又は第２の円弧状部材）の概略的平面図である。
【図６】図６は、図４の６−６線による概略的断面図である。
【図７】図７は、図４の７−７線による概略的断面図である。
【図８】図８は、図４の８−８線による概略的断面図である。
【図９】図９は、図２の表示スタンドと異なる吸着形態の実施例の表示スタンドで、表示体を挟んだ状態を示す概略的斜視図である。
【図１０】図１０は、図９の表示スタンドと異なる吸着形態の実施例の表示スタンドで、表示体を挟んだ状態を示す概略的斜視図である。
【図１１】図１１は、図１の表示スタンドと異なる他の実施例の表示スタンドで、表示体を挟む前の状態を示す概略的斜視図である。
【図１２】図１２は、図１１の表示スタンドで表示体を挟んだ状態を示す概略的斜視図である。
【図１３】図１３は、図１１の表示スタンドと異なる他の実施例の表示スタンドで、表示体を挟む前の状態を示す概略的斜視図である。
【図１４】図１４は、図１３の表示スタンドで表示体を挟んだ状態を示す概略的斜視図である。
【図１５】図１５は、図１３の表示スタンドと異なる他の実施例の表示スタンドで、表示体を挟む前の状態を示す概略的斜視図である。
【図１６】図１６は、図１５の表示スタンドで表示体を挟んだ状態を示す概略的斜視図である。
【図１７】図１７は、図１の表示スタンドを構成する第１の円弧状部材（又は第２の円弧状部材）と異なる他の実施例の第１の円弧状部材（又は第２の円弧状部材）を分解して示す概略的分解斜視図である。
【図１８】図１８は、図１７の第１のシート状の表示体（又は第２のシート状の表示体）の概略的平面図である。
【図１９】図１９は、図１８の概略的底面図である。
【図２０】図２０は、図１７の第１の円弧状部材と第２の円弧状部材を併設した状態の概略的平面図である。
【図２１】図２１は、図２０の２１−２１線による概略的断面図である。
【図２２】図２２は、図２０の概略的背面図である。
【図２３】図２３は、図２０の概略的正面図である。
【図２４】図２４は、図２０の概略的底面図である。
【図２５】図２５は、図１の表示スタンドを構成する第１の円弧状部材（又は第２の円弧状部材）による表示ホルダーの使用状態を示す概略的斜視図である。
【図２６】図２６は、図２５の２６−２６線による概略的断面図である。
【発明を実施するための形態】
【００３１】
本発明の一実施例の表示スタンド及び表示ホルダーを図面を参照して説明する。
（実施例１）
図１及び図２に示すＰは、表示体１０を立設保持する表示スタンドで、表示スタンドＰは、概略的に、一対の円弧状部材である第１の円弧状部材１と第２の円弧状部材２とから構成されている。
表示体１０は、ホテル、レストラン、喫茶店、居酒屋、食堂、デパート、商店、会社等で使用される、例えば、「メニュー」、「提供する商品又はサービス名とその価格」、「募集広告」、「会社の広告」、「商品、サービスなどに関する情報」、「暦」等を紙、プラスチック製シートに表示したものである。
【００３２】
第１の円弧状部材１と第２の円弧状部材２は、例えば、合成樹脂で形成され、望ましくは、透光性を有する部材、例えば、透明なアクリル樹脂で形成されるのが良い。  
第１の円弧状部材１は、略円弧面状の第１の内径側の曲面部１１と、この第１の内径側の曲面部１１と略平行に形成されると共に、略円弧面状の第１の外径側の曲面部１２とを有している（図５、図６及び図７参照）。
第１の内径側の曲面部１１は、第１の内径側の曲面部１１の一方側の円弧状の縁部である一方側第１の内縁部１１’と、第１の内径側の曲面部１１の他方側の円弧状の縁部である他方側第１の内縁部１１”とを有し、一方側第１の内縁部１１’と他方側第１の内縁部１１”は、略平行となっている（図１乃至図８参照）。
そして、第１の外径側の曲面部１２は、第１の外径側の曲面部１２の一方側の円弧状の縁部である一方側第１の外縁部１２’と、第１の外径側の曲面部１２の他方側の円弧状の縁部である他方側第１の外縁部１２”とを有し、一方側第１の外縁部１２’と他方側第１の外縁部１２”は、略平行となっている（図１乃至図８参照）。
【００３３】
また、図６及び図７に示す１３は一方側第１の平坦面で、一方側第１の平坦面１３は、平坦な面で、一方側第１の外縁部１２’と一方側第１の内縁部１１’とを接続している。
また、図６及び図７に示す１４は他方側第１の平坦面で、他方側第１の平坦面１４は、他方側第１の外縁部１２”と他方側第１の内縁部１１”とを接続し、一方側第１の平坦面１３と他方側第１の平坦面１４は、略平行となっている。
【００３４】
また、図１及び図２に示す３は第１の磁石で、第１の磁石３は、第１の円弧状部材１の一方の端部１ａの近傍に内在され、第１の磁石３の形状は、例えば、球形状である。
また、図１及び図２に示す４は第２の磁石で、第２の磁石４は、第１の円弧状部材１の他方の端部１ｂの近傍に内在され、第２の磁石４の形状は、例えば、球形状である。
なお、第１の磁石３及び第２の磁石４を内在させる手段としては、例えば、図４に示すように、第１の円弧状部材１内であって、一方の端部１ａの近傍に空所である収納部Ａ、第１の円弧状部材１内であって、他方の端部１ｂの近傍に空所である収納部Ｂをそれぞれ設け、収納部Ａに第１の磁石３を、収納部Ｂに第２の磁石４をそれぞれ収納し蓋をして接着するようにする。接着後、前述の蓋の露出する側の面は、他方側第１の平坦面１４を構成することとなる。
そして、内在された第１の磁石３は、内在された収納部Ａ内に回転自在になるように余裕（隙間）を持って収納されている。また、内在された第２の磁石４も、内在された収納部Ｂ内に回転自在になるように余裕（隙間）を持って収納されている。
【００３５】
第２の円弧状部材２は、第１の円弧状部材１と同様のもので、第２の円弧状部材２は、略円弧面状の第２の内径側の曲面部２１と、この第２の内径側の曲面部２１と略平行に形成されると共に、略円弧面状の第２の外径側の曲面部２２とを有している（図５、図６及び図７参照）。
第２の内径側の曲面部２１は、第２の内径側の曲面部２１の一方側の円弧状の縁部である一方側第２の内縁部２１’と、第２の内径側の曲面部２１の他方側の円弧状の縁部である他方側第２の内縁部２１”とを有し、一方側第２の内縁部２１’と他方側第２の内縁部１２”は、略平行となっている（図１乃至図８参照）。
そして、第２の外径側の曲面部２２は、第２の外径側の曲面部２２の一方側の円弧状の縁部である一方側第２の外縁部２２’と、第２の外径側の曲面部２２の他方側の円弧状の縁部である他方側第２の外縁部２２”とを有し、一方側第２の外縁部２２’と他方側第２の外縁部２２”は、略平行となっている（図１乃至図８参照）。
【００３６】
また、図６及び図７に示す２３は一方側第２の平坦面で、一方側第２の平坦面２３は、平坦な面で、一方側第２の外縁部２２’と一方側第２の内縁部２１’とを接続している。
また、図６及び図７に示す２４は他方側第２の平坦面で、他方側第２の平坦面２４は、他方側第２の外縁部２２”と他方側第２の内縁部２１”とを接続し、一方側第２の平坦面２３と他方側第２の平坦面２４は、略平行となっている。
【００３７】
また、図１乃至図８に示す５は第３の磁石で、第３の磁石５は、第２の円弧状部材２の一方の端部２ａの近傍に内在され、第３の磁石５の形状は、例えば、球形状である。
また、図１乃至図４に示す６は第４の磁石で、第４の磁石６は、第２の円弧状部材２の他方の端部２ｂの近傍に内在され、第４の磁石６の形状は、例えば、球形状である。
なお、第３の磁石５及び第４の磁石６を内在させる手段としては、第１の磁石３及び第２の磁石４を内在させる手段と同様、例えば、図４に示すように、第２の円弧状部材２内であって、一方の端部２ａの近傍に空所である収納部Ｃ、第２の円弧状部材２内であって、他方の端部２ｂの近傍に空所である収納部Ｄをそれぞれ設け、収納部Ｃに第３の磁石５を、収納部Ｄに第４の磁石６をそれぞれ収納し蓋をして接着するようにする。接着後、前述の蓋の露出する側の面は、他方側第２の平坦面２４を構成することとなる。
そして、内在された第３の磁石５は、内在された収納部Ｃ内に回転自在になるように余裕（隙間）を持って収納されている。また、内在された第４の磁石６も、内在された収納部Ｄ内に回転自在になるように余裕（隙間）を持って収納されている。
上述した第１、第２、第３、第４の磁石３、５、４、６を収納部Ａ、Ｂ、Ｃ、Ｄ内で回転自在に収納したのは、図２に示す対向する第１の磁石３と第３の磁石５、又は、第２の磁石４と第４の磁石６の極性が同じ位置にあっても、磁石同士が反発して第１の磁石３、第３の磁石５、第２の磁石４、第４の磁石６が吸着するように回転させるためである。
【００３８】
従って、上述した図１乃至図８記載の表示スタンドＰによれば、第１の円弧状部材１の第１の外径側の曲面部１２と第２の円弧状部材２の第２の内径側の曲面部２１に表示体１０を位置させて、表示体１０を介して、第１の円弧状部材１と第２の円弧状部材２とが、第１の磁石３と第３の磁石５との吸着及び第２の磁石４と第４の磁石６との吸着により表示体１０を立設保持することができ、しかも、立設保持される表示体１０は第１の円弧状部材１の第１の外径側の曲面部１２と第２の円弧状部材２の第２の内径側の曲面部２１とに沿うように形成されるため、腰の弱い表示体１０（例えば、腰の弱いペーパー）をも立設保持することができる等の効果を有する。
なお、図５に示す第１の内径側の曲面部１１の曲率半径ｒ、第１の外径側の曲面部１２の曲率半径Ｒ、第２の内径側の曲面部２１の曲率半径ｒ、第２の外径側の曲面部２２の曲率半径Ｒを略同じとするのが望ましく、曲率半径ｒ、Ｒを略同じとすることにより、第１の円弧状部材１の第１の外径側の曲面部１２と第２の円弧状部材２の第２の内径側の曲面部２１との間に表示体１０を介在させる際の隙間をより少なくして密着させ、表示体１０をより立設保持することができる。
また、表示スタンドＰの第１の円弧状部材１と第２の円弧状部材２の吸着形態は、図２記載のものに限らず、図９及び図１０による吸着形態もある。特に、載置面Ｓが磁石が吸着する面であれば、表示スタンドＰの位置を固定化することもできる。
即ち、図９に示すように、第１の円弧状部材１の一方の端部１ａの近傍と第２の円弧状部材２の一方の端部２ａの近傍との間及び第１の円弧状部材１の他方の端部１ｂの近傍と第２の円弧状部材２の他方の端部２ｂの近傍との間に表示体１０を介して、第１の磁石３と第３の磁石５及び第２の磁石４と第４の磁石６により吸着して表示体１０を立設保持することができる。
また、図１０に示すように、第１の円弧状部材１の一方側第１の平坦面（図１０に図示しないが、図１、図２及び図６記載の一方側第１の平坦面１３）と第２の円弧状部材２の他方側第２の平坦面（図１０に図示しないが、図６記載の他方側第２の平坦面２４）との間に表示体１０を介して、前記一方側第１の平坦面と前記一方側第２の平坦面とが、第１の磁石３と第３の磁石５及び第２の磁石４と第４の磁石６により吸着して表示体１０を立設保持することができる。
【００３９】
（実施例２）
上述した図１乃至図１０記載の表示スタンドＰにあっては、第１の磁石３、第２の磁石４、第３の磁石５、第４の磁石６と４個の磁石を用いたが、本願発明にあっては、これに限らず、例えば、図１１及び図１２に示すように、２個の磁石３’、５’を用いても、第１の円弧状部材１の第１の外径側の曲面部１２と第２の円弧状部材２の第２の内径側の曲面部２１に表示体１０を接触させて、表示体１０を介して、第１の円弧状部材１と第２の円弧状部材２とが、第１の磁石３’と第２の磁石５’との吸着により表示体１０を立設保持することができる。
第１の磁石３’は、第１の円弧状部材１の一方の端部１ａと第１の円弧状部材１の他方の端部１ｂとの略中央の位置にあって、第１の円弧状部材１に内在され、上述の実施例と同様に、球形状の第１の磁石３’は、回転自在に収納されている。
また、第２の磁石５’は、第２の円弧状部材２の一方の端部２ａと第２の円弧状部材２の他方の端部２ｂとの略中央の位置にあって、第２の円弧状部材２に内在され、上述の実施例と同様に、球形状の第２の磁石５’は、回転自在に収納されている。
この図１１及び図１２記載の表示スタンドＰにあっては、磁石の数、磁石の位置を除けば、上述した図１乃至図１０記載の表示スタンドＰと同様であるため、その説明を省略する。    
【００４０】
（実施例３）
上述した図１乃至図１０記載の表示スタンドＰにあっては、第１の円弧状部材１、第２の円弧状部材２は、共に、円弧状をなしているが、本願発明にあっては、これに限らず、例えば、図１３及び図１４に示すように、直線状の棒状部材でも良い。
即ち、表示スタンドＰは、細長い第１の棒状部材１’と細長い第２の棒状部材２’とから、概略的に構成されている。
細長い第１の棒状部材１’の一方の端部１’ａの近傍に第１の磁石３が、細長い第１の棒状部材１’の他方の端部１’ｂの近傍に第２の磁石４が、それぞれ内在されている。    また、同様に、細長い第２の棒状部材２’の一方の端部２’ａの近傍に第３の磁石５が、細長い第２の棒状部材２’の他方の端部２’ｂの近傍に第４の磁石６が、それぞれ内在されている。球形状の第１の磁石３、第２の磁石４、第３の磁石５及び第４の磁石６は、上述の実施例と同様に、回転自在に収納されている。
そして、図１３及び図１４に示すように、細長い第１の棒状部材１’と細長い第２の棒状部材２’との間に表示体１０を介して、第１の磁石３と第３の磁石５との吸着及び第２の磁石４と第４の磁石６との吸着により表示体１０を立設保持することができる。
【００４１】
（実施例４）
上述した図１３及び図１４記載の表示スタンドＰにあっては、第１の磁石３、第２の磁石４、第３の磁石５、第４の磁石６と４個の磁石を用いたが、本願発明にあっては、これに限らず、例えば、図１５び図１６に示すように、２個の磁石３’、５’を用いても、細長い第１の棒状部材１’と細長い第２の棒状部材２’との間に表示体１０を介して第１の磁石３’と第２の磁石５’との吸着により表示体１０を立設保持することができる。
細長い第１の棒状部材１’に内在された第１の磁石３’は、細長い第１の棒状部材１’の一方の端部１’ａと細長い第１の棒状部材１’の他方の端部１’ｂとの略中央の位置にある。
また、細長い第２の棒状部材２’に内在された第２の磁石５’は、細長い第２の棒状部材２’の一方の端部２’ａと細長い第２の棒状部材２’の他方の端部２’ｂとの略中央の位置にある。
そして、球形状の第１の磁石３’、第２の磁石５’は、上述の実施例と同様に、回転自在に収納されている。
【００４２】
（実施例５）
次に示す実施例は、上述した図１乃至図１０記載の表示スタンドＰに新たな機能を付加したものである（図１７乃至図２４参照）。
即ち、第１の円弧状部材１は、透光性を有する部材（例えば、透明なアクリル樹脂）で形成され、第１の円弧状部材１内に第１のシート状の表示体Ｄ１が設けられている。加えて、第１の円弧状部材１内の第１のシート状の表示体Ｄ１と上述した図１乃至図１０記載と同様な一方側第１の平坦面１３とのなす角度が、約４５°の位置関係となっている。  
そして、第１のシート状の表示体Ｄ１の表裏に文字、図形、記号、符号等が表示され、例えば、本実施例では、第１のシート状の表示体Ｄ１の表に「ａｃｔ−１０」（図１８参照）、第１のシート状の表示体Ｄ１の裏に「ａｃｔ−１０」（図１９参照）が表示されている。
第２の円弧状部材２は、第１の円弧状部材１と同様に、透光性を有する部材（例えば、透明なアクリル樹脂）で形成され、第２の円弧状部材２内に第２のシート状の表示体Ｄ２が設けられている。加えて、第２の円弧状部材２内の第２のシート状の表示体Ｄ２と上述した図１乃至図１０記載と同様な一方側第２の平坦面２３とのなす角度が、約４５°の位置関係となっている。そして、第２のシート状の表示体Ｄ２の表裏に文字、図形、記号、符号等が表示され、例えば、本実施例では、第２のシート状の表示体Ｄ２の表に「ａｃｔ−１０」（図１８参照）、第２のシート状の表示体Ｄ２の裏に「ａｃｔ−１０」（図１９参照）が表示されている。
【００４３】
従って、図２０記載の表示スタンドＰを載置面（図示せず）に置いて、上から表示スタンドＰを見た場合、図２０記載のように一方側第１の平坦面１３を介して第１のシート状の表示体Ｄ１の「ａｃｔ−１０」の表示を、又は、一方側第２の平坦面２３を介して第２のシート状の表示体Ｄ２の「ａｃｔ−１０」の表示を、見ることができ、また、表示スタンドＰを載置面（図示せず）に置いて、正面からペーパースタンドＰを見た場合（図２３参照）、第１の内径側の曲面部１１を介して第１のシート状の表示体Ｄ１の「ａｃｔ−１０」の表示を見ることができ、
表示スタンドＰを載置面（図示せず）に置いて、背面から表示スタンドＰを見た場合（図２２参照）、第２の外径側の曲面部２２を介して第２のシート状の表示体Ｄ２の「ａｃｔ−１０」の表示を見ることができる。
【００４４】
（実施例６）
上述した図１乃至図１０記載の実施例にあっては、一対の第１の円弧状部材１、第２の円弧状部材２を使用して表示スタンドＰを構成したが、一対の第１の円弧状部材１、第２の円弧状部材２の何れか一つを使用して、表示ホルダーＨとすることができる（図２５及び図２６参照）。
表示ホルダーＨは、上述の第１の円弧状部材１と同様な第１の円弧状部材１で、第１の円弧状部材１は、略円弧面状の第１の内径側の曲面部１１（図１乃至図１０参照）と、この第１の内径側の曲面部１１と略平行に形成されると共に、略円弧面状の第１の外径側の曲面部１２とを有する。この第１の円弧状部材１の一方の端部１ａの近傍に第１の磁石３、第１の円弧状部材１の他方の端部１ｂの近傍に第２の磁石５が、それぞれ内在されている。
そして、図１乃至図１０に記載されていると同様に、第１の内径側の曲面部１１は、第１の内径側の曲面部１１の一方側の円弧状の縁部である一方側第１の内縁部１１’と、第１の内径側の曲面部１１の他方側の円弧状の縁部である他方側第１の内縁部１１”とを有し、一方側第１の内縁部１１’と他方側第１の内縁部１１”は、略平行となっている。
また、第１の外径側の曲面部１２は、第１の外径側の曲面部１２の一方側の円弧状の縁部である一方側第１の外縁部１２’と、第１の外径側の曲面部１２の他方側の円弧状の縁部である他方側第１の外縁部１２”とを有し、一方側第１の外縁部１２’と他方側第１の外縁部１２”は、略平行となっている。
そして、平坦な面である一方側第１の平坦面１３は、一方側第１の外縁部１２’と一方側第１の内縁部１１’とを接続し、また、平坦な面である他方側第１の平坦面１４は、他方側第１の外縁部１２”と他方側第１の内縁部１１”とを接続し、一方側第１の平坦面１３と他方側第１の平坦面１４とは、略平行となっている。
【００４５】
従って、図２５及び図２６記載の表示ホルダーＨによれば、磁石が吸着する載置面Ｓに表示ホルダーＨの第１の磁石３及び第２の磁石４により表示体１０を介して表示ホルダーＨを吸着させることができる。
その際、載置面Ｓと表示ホルダーＨの間に表示体１０が位置すれば、載置面Ｓに表示体１０を取り付けることができ、特に、この表示ホルダーＨにあっては、第１の磁石３と第２の磁石５を介在させた２点で支持することができるため、載置面Ｓが平坦に限らず、載置面Ｓが平坦でない曲面にも容易に取り付けることができ、また、前述の２点支持の他に、一方側第１の平坦面１３又は他方側第１の平坦面１４を載置面Ｓに表示体１０を介して第１の磁石３と第２の磁石５の磁力を利用して取り付けることができ、表示ホルダーＨの取り付け位置の自由度を増すことができる。
【符号の説明】
【００４６】
Ｐ      表示スタンド
１      第１の円弧状部材
１ａ    一方の端部
１ｂ    他方の端部
１１    第１の内径側の曲面部
１２    第１の外径側の曲面部
２      第２の円弧状部材
２ａ    一方の端部
２ｂ    他方の端部
２１    第２の内径側の曲面部
２２    第２の外径側の曲面部
３      第１の磁石
４      第２の磁石
５      第３の磁石
６      第２の磁石
【図１】
2010211101.tif 000003
【図２】
2010211101.tif 000004
【図３】
2010211101.tif 000005
【図４】
2010211101.tif 000006
【図５】
2010211101.tif 000007
【図６】
2010211101.tif 000008
【図７】
2010211101.tif 000009
【図８】
2010211101.tif 000010
【図９】
2010211101.tif 000011
【図１０】
2010211101.tif 000012
【図１１】
2010211101.tif 000013
【図１２】
2010211101.tif 000014
【図１３】
2010211101.tif 000015
【図１４】
2010211101.tif 000016
【図１５】
2010211101.tif 000017
【図１６】
2010211101.tif 000018
【図１７】
2010211101.tif 000019
【図１８】
2010211101.tif 000020
【図１９】
2010211101.tif 000021
【図２０】
2010211101.tif 000022
【図２１】
2010211101.tif 000023
【図２２】
2010211101.tif 000024
【図２３】
2010211101.tif 000025
【図２４】
2010211101.tif 000026
【図２５】
2010211101.tif 000027
【図２６】
2010211101.tif 000028
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部の近傍に内在された第３の磁石と、
前記第２の円弧状部材の他方の端部の近傍に内在された第４の磁石と、
を備え、
内在された前記第１の磁石は、内在された収納部内に回転自在に収納され、
内在された前記第２の磁石は、内在された収納部内に回転自在に収納され、
内在された前記第３の磁石は、内在された収納部内に回転自在に収納され、
内在された前記第４の磁石は、内在された収納部内に回転自在に収納され、
前記第１の磁石、前記第２の磁石、前記第３の磁石及び前記第４の磁石は、共に、球形状である
ことを特徴とする表示スタンド。
【請求項２】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部と前記第１の円弧状部材の他方の端部との略中央の位置にあって、前記第１の円弧状部材に内在された第１の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部と前記第２の円弧状部材の他方の端部との略中央の位置にあって、前記第２の円弧状部材に内在された第２の磁石とを備え、
内在された前記第１の磁石は、内在された収納部内に回転自在に収納され、
内在された前記第２の磁石は、内在された収納部内に回転自在に収納され、
前記第１の磁石及び前記第２の磁石は、共に、球形状である
ことを特徴とする表示スタンド。
【請求項３】
第１の内径側の曲面部の曲率半径、第１の外径側の曲面部の曲率半径、第２の内径側の曲面部の曲率半径、第２の外径側の曲面部の曲率半径が共に略同じである
ことを特徴とする請求項１又は請求項２記載の表示スタンド。
【請求項４】
第１の円弧状部材内に設けられた第１のシート状の表示体と、
前記第１の円弧状部材は、透光性を有する部材で形成され、
前記第１の円弧状部材内の前記第１のシート状の表示体と一方側第１の平坦面とのなす角度が、約４５°の位置関係にあって、
前記第１のシート状の表示体の表裏に文字、図形、記号、符号等が表示され、
第２の円弧状部材内に設けられた第２のシート状の表示体と、
前記第２の円弧状部材は、透光性を有する部材で形成され、
前記第２の円弧状部材内の前記第２のシート状の表示体と一方側第２の平坦面とのなす角度が、約４５°の位置関係にあって、
前記第２のシート状の表示体の表裏に文字、図形、記号、符号等が表示されている
ことを特徴とする請求項１又は請求項２記載の表示スタンド。
【請求項５】
細長い第１の棒状部材と、
この細長い第１の棒状部材の一方の端部の近傍に内在された第１の磁石と、
前記細長い第１の棒状部材の他方の端部の近傍に内在された第２の磁石と、
細長い第２の棒状部材と、
この細長い第２の棒状部材の一方の端部の近傍に内在された第３の磁石と、
前記細長い第２の棒状部材の他方の端部の近傍に内在された第４の磁石と、
を備え、
内在された前記第１の磁石は、内在された収納部内に回転自在に収納され、
内在された前記第２の磁石は、内在された収納部内に回転自在に収納され、
内在された前記第３の磁石は、内在された収納部内に回転自在に収納され、
内在された前記第４の磁石は、内在された収納部内に回転自在に収納され、
前記第１の磁石、前記第２の磁石、前記第３の磁石及び前記第４の磁石は、共に、球形状である
ことを特徴とする表示スタンド。
【請求項６】
細長い第１の棒状部材と、
この細長い第１の棒状部材の一方の端部と前記細長い第１の棒状部材の他方の端部との略中央の位置にあって、前記細長い第１の棒状部材に内在された第１の磁石と、
細長い第２の棒状部材と、
この細長い第２の棒状部材の一方の端部と前記細長い第２の棒状部材の他方の端部との略中央の位置にあって、前記細長い第２の棒状部材に内在された第２の磁石とを備え、
内在された前記第１の磁石は、内在された収納部内に回転自在に収納され、
内在された前記第２の磁石は、内在された収納部内に回転自在に収納され、
前記第１の磁石及び前記第２の磁石は、共に、球形状である
ことを特徴とする表示スタンド。
【手続補正３】
【補正対象書類名】明細書
【補正対象項目名】０００１
【補正方法】変更
【補正の内容】
【０００１】
本発明は、表示スタンドに係り、特に、磁石の吸着力を利用した表示スタンドに関する。
【手続補正４】
【補正対象書類名】明細書
【補正対象項目名】０００５
【補正方法】変更
【補正の内容】
【０００５】
本発明は、上記の問題点を除去するようにした表示スタンドを提供することを目的とする。
【手続補正５】
【補正対象書類名】明細書
【補正対象項目名】０００６
【補正方法】変更
【補正の内容】
【０００６】
請求項１記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部の近傍に内在された第１の磁石と、前記第１の円弧状部材の他方の端部の近傍に内在された第２の磁石と、略円弧面状の第２の内径側の曲面部と、この第２の内径側の曲面部と略平行に形成されると共に、略円弧面状の第２の外径側の曲面部とを有する第２の円弧状部材と、この第２の円弧状部材の一方の端部の近傍に内在された第３の磁石と、前記第２の円弧状部材の他方の端部の近傍に内在された第４の磁石と、を備え、内在された前記第１の磁石は、内在された収納部内に回転自在に収納され、内在された前記第２の磁石は、内在された収納部内に回転自在に収納され、内在された前記第３の磁石は、内在された収納部内に回転自在に収納され、内在された前記第４の磁石は、内在された収納部内に回転自在に収納され、前記第１の磁石、前記第２の磁石、前記第３の磁石及び前記第４の磁石は、共に、球形状である。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
また、請求項２記載の表示スタンドは、略円弧面状の第１の内径側の曲面部と、この第１の内径側の曲面部と略平行に形成されると共に、略円弧面状の第１の外径側の曲面部とを有する第１の円弧状部材と、この第１の円弧状部材の一方の端部と前記第１の円弧状部材の他方の端部との略中央の位置にあって、前記第１の円弧状部材に内在された第１の磁石と、略円弧面状の第２の内径側の曲面部と、この第２の内径側の曲面部と略平行に形成されると共に、略円弧面状の第２の外径側の曲面部とを有する第２の円弧状部材と、この第２の円弧状部材の一方の端部と前記第２の円弧状部材の他方の端部との略中央の位置にあって、前記第２の円弧状部材に内在された第２の磁石とを備え、内在された前記第１の磁石は、内在された収納部内に回転自在に収納され、内在された前記第２の磁石は、内在された収納部内に回転自在に収納され、前記第１の磁石及び前記第２の磁石は、共に、球形状である。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
また、請求項３記載の表示スタンドは、請求項１又は請求項２記載の表示スタンドにおいて、第１の内径側の曲面部の曲率半径、第１の外径側の曲面部の曲率半径、第２の内径側の曲面部の曲率半径、第２の外径側の曲面部の曲率半径が共に略同じである。
【手続補正１１】
【補正対象書類名】明細書
【補正対象項目名】００１２
【補正方法】変更
【補正の内容】
【００１２】
また、請求項４記載の表示スタンドは、請求項１又は請求項２記載の表示スタンドにおいて、第１の円弧状部材内に設けられた第１のシート状の表示体と、前記第１の円弧状部材は、透光性を有する部材で形成され、前記第１の円弧状部材内の前記第１のシート状の表示体と一方側第１の平坦面とのなす角度が、約４５°の位置関係にあって、前記第１のシート状の表示体の表裏に文字、図形、記号、符号等が表示され、 第２の円弧状部材内に設けられた第２のシート状の表示体と、前記第２の円弧状部材は、透光性を有する部材で形成され、前記第２の円弧状部材内の前記第２のシート状の表示体と一方側第２の平坦面とのなす角度が、約４５°の位置関係にあって、前記第２のシート状の表示体の表裏に文字、図形、記号、符号等が表示されているものである。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
また、請求項５記載の表示スタンドは、細長い第１の棒状部材と、この細長い第１の棒状部材の一方の端部の近傍に内在された第１の磁石と、前記細長い第１の棒状部材の他方の端部の近傍に内在された第２の磁石と、細長い第２の棒状部材と、この細長い第２の棒状部材の一方の端部の近傍に内在された第３の磁石と、前記細長い第２の棒状部材の他方の端部の近傍に内在された第４の磁石と、を備え、内在された前記第１の磁石は、内在された収納部内に回転自在に収納され、内在された前記第２の磁石は、内在された収納部内に回転自在に収納され、内在された前記第３の磁石は、内在された収納部内に回転自在に収納され、内在された前記第４の磁石は、内在された収納部内に回転自在に収納され、前記第１の磁石、前記第２の磁石、前記第３の磁石及び前記第４の磁石は、共に、球形状である。
【手続補正１５】
【補正対象書類名】明細書
【補正対象項目名】００１６
【補正方法】変更
【補正の内容】
【００１６】
また、請求項６記載の表示スタンドは、細長い第１の棒状部材と、この細長い第１の棒状部材の一方の端部と前記細長い第１の棒状部材の他方の端部との略中央の位置にあって、前記細長い第１の棒状部材に内在された第１の磁石と、細長い第２の棒状部材と、この細長い第２の棒状部材の一方の端部と前記細長い第２の棒状部材の他方の端部との略中央の位置にあって、前記細長い第２の棒状部材に内在された第２の磁石とを備え、内在された前記第１の磁石は、内在された収納部内に回転自在に収納され、内在された前記第２の磁石は、内在された収納部内に回転自在に収納され、前記第１の磁石及び前記第２の磁石は、共に、球形状である。
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】変更
【補正の内容】
【００２９】
請求項１又は５記載の表示スタンドによれば、内在された第１の磁石は、内在された収納部内に回転自在に収納され、内在された第２の磁石は、内在された収納部内に回転自在に収納され、内在された第３の磁石は、内在された収納部内に回転自在に収納され、内在された第４の磁石は、内在された収納部内に回転自在に収納され、前記第１の磁石、前記第２の磁石、前記第３の磁石及び前記第４の磁石は、共に、球形状であるため、対向する第１の磁石と第３の磁石、又は、第２の磁石と第４の磁石の極性が同じでも反発して第１の磁石、第３の磁石、第２の磁石、第４の磁石が吸着するように回転して、表示体を介して吸着することができる。
【手続補正２９】
【補正対象書類名】明細書
【補正対象項目名】００３１
【補正方法】変更
【補正の内容】
【００３１】
本発明の一実施例の表示スタンドを図面を参照して説明する。
（実施例１）
図１及び図２に示すＰは、表示体１０を立設保持する表示スタンドで、表示スタンドＰは、概略的に、一対の円弧状部材である第１の円弧状部材１と第２の円弧状部材２とから構成されている。
表示体１０は、ホテル、レストラン、喫茶店、居酒屋、食堂、デパート、商店、会社等で使用される、例えば、「メニュー」、「提供する商品又はサービス名とその価格」、「募集広告」、「会社の広告」、「商品、サービスなどに関する情報」、「暦」等を紙、プラスチック製シートに表示したものである。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部の近傍に内在された第１の磁石と、
前記第１の円弧状部材の他方の端部の近傍に内在された第２の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部の近傍に内在された第３の磁石と、
前記第２の円弧状部材の他方の端部の近傍に内在された第４の磁石と、
を備え、
内在された前記第１の磁石は、内在された収納部内に回転自在に収納され、
内在された前記第２の磁石は、内在された収納部内に回転自在に収納され、
内在された前記第３の磁石は、内在された収納部内に回転自在に収納され、
内在された前記第４の磁石は、内在された収納部内に回転自在に収納され、
前記第１の磁石、前記第２の磁石、前記第３の磁石及び前記第４の磁石は、共に、球形状である
ことを特徴とする表示スタンド。
【請求項２】
略円弧面状の第１の内径側の曲面部と、この第１の内径側の曲面部と略平行に形成されると共に、略円弧面状の第１の外径側の曲面部とを有する第１の円弧状部材と、
この第１の円弧状部材の一方の端部と前記第１の円弧状部材の他方の端部との略中央の位置にあって、前記第１の円弧状部材に内在された第１の磁石と、
略円弧面状の第２の内径側の曲面部と、この第２の内径側の曲面部と略平行に形成されると共に、略円弧面状の第２の外径側の曲面部とを有する第２の円弧状部材と、
この第２の円弧状部材の一方の端部と前記第２の円弧状部材の他方の端部との略中央の位置にあって、前記第２の円弧状部材に内在された第２の磁石とを備え、
内在された前記第１の磁石は、内在された収納部内に回転自在に収納され、
内在された前記第２の磁石は、内在された収納部内に回転自在に収納され、
前記第１の磁石及び前記第２の磁石は、共に、球形状である
ことを特徴とする表示スタンド。
【請求項３】
第１の内径側の曲面部の曲率半径、第１の外径側の曲面部の曲率半径、第２の内径側の曲面部の曲率半径、第２の外径側の曲面部の曲率半径が共に略同じである
ことを特徴とする請求項１又は請求項２記載の表示スタンド。
【請求項４】
第１のシート状の表示体が、第１の円弧状部材内に設けられ、
前記第１の円弧状部材は、透光性を有する部材で形成され、
第１の内径側の曲面部は、第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、
第１の外径側の曲面部は、第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、
前記一方側第１の外縁部と前記一方側第１の内縁部とを接続する平坦な面は、一方側第１の平坦面であり、
前記他方側第１の外縁部と前記他方側第１の内縁部とを接続する平坦な面は、他方側第１の平坦面であり、
前記一方側第１の平坦面と前記他方側第１の平坦面は、略平行であり、
前記第１の円弧状部材内の前記第１のシート状の表示体と前記一方側第１の平坦面とのなす角度が、約４５°の位置関係にあって、
前記第１のシート状の表示体の表裏に文字、図形、記号、符号等が表示され、
第２のシート状の表示体が、第２の円弧状部材内に設けられ、
前記第２の円弧状部材は、透光性を有する部材で形成され、
第２の内径側の曲面部は、第２の内径側の曲面部の一方側の円弧状の縁部である一方側第２の内縁部と、前記第２の内径側の曲面部の他方側の円弧状の縁部である他方側第２の内縁部とを有し、前記一方側第２の内縁部と前記他方側第２の内縁部は、略平行であり、
第２の外径側の曲面部は、第２の外径側の曲面部の一方側の円弧状の縁部である一方側第２の外縁部と、前記第２の外径側の曲面部の他方側の円弧状の縁部である他方側第２の外縁部とを有し、前記一方側第２の外縁部と前記他方側第２の外縁部は、略平行であり、
前記一方側第２の外縁部と前記一方側第２の内縁部とを接続する平坦な面は、一方側第２の平坦面であり、
前記他方側第２の外縁部と前記他方側第２の内縁部とを接続する平坦な面は、他方側第２の平坦面であり、
前記一方側第２の平坦面と前記他方側第２の平坦面は、略平行であり、
前記第２の円弧状部材内の前記第２のシート状の表示体と前記一方側第２の平坦面とのなす角度が、約４５°の位置関係にあって、
前記第２のシート状の表示体の表裏に文字、図形、記号、符号等が表示されている
ことを特徴とする請求項１又は請求項２記載の表示スタンド。
【請求項５】
細長い第１の棒状部材と、
この細長い第１の棒状部材の一方の端部の近傍に内在された第１の磁石と、
前記細長い第１の棒状部材の他方の端部の近傍に内在された第２の磁石と、
細長い第２の棒状部材と、
この細長い第２の棒状部材の一方の端部の近傍に内在された第３の磁石と、
前記細長い第２の棒状部材の他方の端部の近傍に内在された第４の磁石と、
を備え、
内在された前記第１の磁石は、内在された収納部内に回転自在に収納され、
内在された前記第２の磁石は、内在された収納部内に回転自在に収納され、
内在された前記第３の磁石は、内在された収納部内に回転自在に収納され、
内在された前記第４の磁石は、内在された収納部内に回転自在に収納され、
前記第１の磁石、前記第２の磁石、前記第３の磁石及び前記第４の磁石は、共に、球形状である
ことを特徴とする表示スタンド。
【請求項６】
細長い第１の棒状部材と、
この細長い第１の棒状部材の一方の端部と前記細長い第１の棒状部材の他方の端部との略中央の位置にあって、前記細長い第１の棒状部材に内在された第１の磁石と、
細長い第２の棒状部材と、
この細長い第２の棒状部材の一方の端部と前記細長い第２の棒状部材の他方の端部との略中央の位置にあって、前記細長い第２の棒状部材に内在された第２の磁石とを備え、
内在された前記第１の磁石は、内在された収納部内に回転自在に収納され、
内在された前記第２の磁石は、内在された収納部内に回転自在に収納され、
前記第１の磁石及び前記第２の磁石は、共に、球形状である
ことを特徴とする表示スタンド。
【手続補正２】
【補正対象書類名】明細書
【補正対象項目名】００１２
【補正方法】変更
【補正の内容】
【００１２】
また、請求項４記載の表示スタンドは、請求項１又は請求項２記載の表示スタンドにおいて、第１のシート状の表示体が、第１の円弧状部材内に設けられ、前記第１の円弧状部材は、透光性を有する部材で形成され、第１の内径側の曲面部は、第１の内径側の曲面部の一方側の円弧状の縁部である一方側第１の内縁部と、前記第１の内径側の曲面部の他方側の円弧状の縁部である他方側第１の内縁部とを有し、前記一方側第１の内縁部と前記他方側第１の内縁部は、略平行であり、第１の外径側の曲面部は、第１の外径側の曲面部の一方側の円弧状の縁部である一方側第１の外縁部と、前記第１の外径側の曲面部の他方側の円弧状の縁部である他方側第１の外縁部とを有し、前記一方側第１の外縁部と前記他方側第１の外縁部は、略平行であり、前記一方側第１の外縁部と前記一方側第１の内縁部とを接続する平坦な面は、一方側第１の平坦面であり、前記他方側第１の外縁部と前記他方側第１の内縁部とを接続する平坦な面は、他方側第１の平坦面であり、前記一方側第１の平坦面と前記他方側第１の平坦面は、略平行であり、前記第１の円弧状部材内の前記第１のシート状の表示体と前記一方側第１の平坦面とのなす角度が、約４５°の位置関係にあって、前記第１のシート状の表示体の表裏に文字、図形、記号、符号等が表示され、第２のシート状の表示体が、第２の円弧状部材内に設けられ、前記第２の円弧状部材は、透光性を有する部材で形成され、第２の内径側の曲面部は、第２の内径側の曲面部の一方側の円弧状の縁部である一方側第２の内縁部と、前記第２の内径側の曲面部の他方側の円弧状の縁部である他方側第２の内縁部とを有し、前記一方側第２の内縁部と前記他方側第２の内縁部は、略平行であり、第２の外径側の曲面部は、第２の外径側の曲面部の一方側の円弧状の縁部である一方側第２の外縁部と、前記第２の外径側の曲面部の他方側の円弧状の縁部である他方側第２の外縁部とを有し、前記一方側第２の外縁部と前記他方側第２の外縁部は、略平行であり、前記一方側第２の外縁部と前記一方側第２の内縁部とを接続する平坦な面は、一方側第２の平坦面であり、前記他方側第２の外縁部と前記他方側第２の内縁部とを接続する平坦な面は、他方側第２の平坦面であり、前記一方側第２の平坦面と前記他方側第２の平坦面は、略平行であり、前記第２の円弧状部材内の前記第２のシート状の表示体と前記一方側第２の平坦面とのなす角度が、約４５°の位置関係にあって、前記第２のシート状の表示体の表裏に文字、図形、記号、符号等が表示されているものである。